(57)【要約】      （修正有）【課題】光を効率良く利用できる光照射装置を提供る。【解決手段】光照射装置は、皮膚に対して照射される光を出射する投光部３３と、投光部から出射された光の波長を分離する波長分離部７２ｂ，７３とを有し、波長分離部７２ｂ，７３により分離された第１波長光と第２波長光とを皮膚の異なる部位に照射する。短波長用ミラー７１ａ，７２ｂは、光源３３から出射した光のうち、短波長範囲の光を反射する。一方、長波長用ミラー７３は、光源３３から出射した光のうち、長波長範囲の光を反射する。【選択図】図８
2013126441.tif 000002
【特許請求の範囲】
【請求項１】
皮膚に対して照射される光を出射する投光部と、
前記投光部から出射された光の波長を分離する波長分離部とを有し、
前記波長分離部により分離された第１波長の光と第２波長の光とを前記皮膚の異なる部位に照射すること
を特徴とする光照射装置。
【請求項２】
前記波長分離部は、前記投光部から出射された光を反射する反射板と、当該投光部から出射された光及び前記反射板により反射された光の所定波長を選択的に分離する光学部品とを有することを特徴とする請求項１に記載の光照射装置。
【請求項３】
前記波長分離部は、任意の波長よりも短い前記第１波長を反射する第１反射部と、前記任意の波長よりも長い第２波長を反射する第２反射部とを含むことを特徴とする請求項１又は請求項２に記載の光照射装置。
【請求項４】
前記投光部は、少なくとも一つの光源を有することを特徴とする請求項１乃至請求項３の何れか１項に記載の光照射装置。
【請求項５】
前記波長分離部は、前記投光部から投光された光を４００ｎｍ〜５８０ｎｍの波長を含む光と５８０〜１２００ｎｍの波長を含む光とに分離することを特徴とする請求項１乃至請求項４の何れか１項に記載の光照射装置。
【発明の詳細な説明】
【技術分野】
【０００１】
本発明は、皮膚に光を照射する光照射装置に関する。
【背景技術】
【０００２】
毛の成長を調整できる光照射装置としては、例えば下記の特許文献１に記載された技術が知られている。特許文献１には、光源により波長が４００ｎｍ以上６００ｎｍ以下であり、低エネルギーの光を毛根部付近に照射し、その周囲に存在する体内既存の光吸収成分に光吸収させることで毛の成長を調整することが記載されている。
【先行技術文献】
【特許文献】
【０００３】
【特許文献１】特開２００８−０２９８１１号公報
【発明の概要】
【発明が解決しようとする課題】
【０００４】
しかしながら、特許文献１に記載された技術は、光の波長を選択的に使用して皮膚に照射しているため、利用されない波長帯の光が無駄になっていた。
【０００５】
そこで、本発明は、上述した実情に鑑みて提案されたものであり、光を効率良く利用できる光照射装置を提供することを目的とする。
【課題を解決するための手段】
【０００６】
本発明の第１の態様に係る光照射装置は、皮膚に対して照射される光を出射する投光部と、前記投光部から出射された光の波長を分離する波長分離部とを有し、前記波長分離部により分離された第１波長の光と第２波長の光とを前記皮膚の異なる部位に照射することを特徴とするものである。
【０００７】
本発明の第２の態様に係る光照射装置は、上記第１の態様の光照射装置に対し、前記波長分離部が、前記投光部から出射された光を反射する反射板と、当該投光部から出射された光及び前記反射板により反射された光の所定波長を選択的に分離する光学部品とを有することを特徴とする。
【０００８】
本発明の第３の態様に係る光照射装置は、上記第１又は第２の態様の光照射装置に対し、前記波長分離部が、任意の波長よりも短い前記第１波長を反射する第１反射部と、前記任意の波長よりも長い第２波長を反射する第２反射部とを含むことを特徴とする。
【０００９】
本発明の第４の態様に係る光照射装置は、上記第１乃至第３の何れかの態様の光照射装置に対し、前記投光部が、少なくとも一つの光源を有することを特徴とする。
【００１０】
本発明の第５の態様に係る光照射装置は、上記第１乃至第４の何れかの態様の光照射装置に対し、前記波長分離部が、前記投光部から投光された光を４００ｎｍ〜５８０ｎｍの波長を含む光と５８０〜１２００ｎｍの波長を含む光とに分離することを特徴とする。
【発明の効果】
【００１１】
本発明によれば、投光部から出射された光の波長を分離して皮膚の異なる部位に照射するので、光を効率良く利用できる。
【図面の簡単な説明】
【００１２】
【図１】本発明を適用した光照射型美容装置の（ａ）正面図、（ｂ）側面図である。
【図２】本発明を適用した光照射型美容装置の（ａ）Ａ−Ａ断面図、（ｂ）Ｂ−Ｂ断面図である。
【図３】本発明を適用した光照射型美容装置のカバーを離脱した状態の斜視図である。
【図４】照射ユニットの分解斜視図である。
【図５】照射ユニットの（ａ）正面図、（ｂ）Ｃ−Ｃ断面図である。
【図６】離脱させたカバーの（ａ）正面図、（ｂ）Ｅ−Ｅ断面図、（ｃ）フロートフレームの斜視図である。
【図７】光源から発せられる光に含まれる波長と相対強度との関係を示すグラフである。
【図８】本発明を適用した光照射型美容装置における光源の断面図である。
【図９】比較例としての光源の断面図である。
【図１０】本発明を適用した光照射型美容装置における光源の断面図である。
【図１１】本発明を適用した光照射型美容装置における光源の断面図である。
【図１２】本発明を適用した光照射型美容装置における光源の断面図である。
【図１３】本発明を適用した光照射型美容装置における光源の断面図である。
【図１４】本発明を適用した光照射型美容装置における光源の断面図である。
【発明を実施するための形態】
【００１３】
以下、本発明の実施の形態について図面を参照して説明する。先ず、図１〜図６を参照して、光照射型美容装置の全体構成について説明し、その後に、光を照射する構成の細部について説明する。
【００１４】
本発明の光照射型美容装置（光照射装置）は、例えば図１〜図６に示すように構成される。
【００１５】
光照射型美容装置は、図１〜図６に示すように、本体１、照射ユニット２２、カバー４８とを含む。本体１は、ユーザにより把持されて使用可能な円筒形状となっている。照射ユニット２２は、光源３３（投光部）及びレンズ３０を備えている。カバー４８は、皮膚に当接されるフロートフレーム５４を有する。
【００１６】
この光照射型美容装置において、光源３３から投光された光は、レンズ３０を介してフロートフレーム５４に設けた照射口５６に導光されて、皮膚のフロートフレーム５４に囲まれ照射口５６と向かい合う部位に照射される。照射ユニット２２及びカバー４８は、それぞれ、本体１から着脱自在となっている。
【００１７】
本体１の内部には、図２に示すように、電源２、コンデンサ３、回路基板４を備える。電源２は、二次電池等からなる。コンデンサ３は、光源３３のフラッシュ発光用の電荷を蓄える。回路基板４は、コンデンサ３の蓄電量や温度の変化を検知して蓄電・放電制御を行う制御部（特に図示しない）を有する。
【００１８】
本体１の外周面には、図１及び図２に示すように、操作スイッチ５、報知部６、充電端子７、係止操作部８が配設されている。操作スイッチ５は、ユーザによって電源２のオンオフや蓄電開始等の外部操作が行われる。報知部６は、当該外部操作や充電完了や異常等を外部に表示する。報知部６は、ＬＥＤ等からなる。充電端子７は、図２（ａ）のように、電源２の充電用の端子である。係止操作部８は、カバー４８の本体１への係止を解く構造となっている。
【００１９】
本体１の軸方向の一端は、図２及び図３に示すように、円筒の中心軸に対して傾斜した傾斜面１０となっている。傾斜面１０の略中央には、照射ユニット２２が取り付けられている。照射ユニット２２及び傾斜面１０は、図１に示すように、カバー４８により覆われる。本体１の軸方向の他端は、軸に直交した平面である。該平面には、図２（ａ）のように、回路基板４の設定をリセットするリセットスイッチ９が凹設されている。
【００２０】
傾斜面１０は、係止部１５、発光スイッチ１１、装着部１８を有している。係止部１５は、係止操作部８で解除可能にカバー４８を係止する。発光スイッチ１１は、光源３３の発光の引き金となるスイッチ構造を有している。装着部１８は、照射ユニット２２に係合して照射ユニット２２を傾斜面１０に装着させる。係止部１５は、カバー４８に設けたフック５１を係止する係止突起１６からなる。係止突起１６は、本体１内面に弾性体１７を介して支持されており、係止操作部８の外部操作により弾性体１７の付勢に抗してフック５１との係止を解くものである。
【００２１】
発光スイッチ１１は、図２（ａ）のように、スイッチ部１２、押圧片１３、弾性体１４からなる。スイッチ部１２は、押圧されると光源３３を発光させる電気信号を回路基板４に出力する。押圧片１３は、スイッチ部１２を押圧する。弾性体１４は、押圧片１３を傾斜面１０に直交する方向でスイッチ部１２を押圧する向きとは逆向きに付勢する。弾性体１４の付勢に抗して押圧片１３がスイッチ部１２を押圧することで、電気信号が出力される。電気信号が回路基板４に約３秒間継続して入力されることで、回路基板４が光源３３の発光を許可して、光源３３が発光する。
【００２２】
装着部１８は、爪１９、ユニット検知部２０、本体側コネクタ２１を含む。爪１９は、傾斜面１０と直交する向きに先端開口を有したＵ字形状となっている。ユニット検知部２０は、照射ユニット２２の装着を検知する。本体側コネクタ２１は、装着された照射ユニット２２と本体１の回路基板４を電気的に接続する。爪１９は、本体側コネクタ２１の両側に夫々配置されており、照射ユニット２２の両側に係合する。これにより、爪１９は、傾斜面１０に照射ユニット２２を装着保持させる。
【００２３】
照射ユニット２２は、図３〜図５に示すように、略長方形状の開口を一端に有し他端である底部が傾斜面１０に当接した状態で保持される箱形状となっている。該照射ユニット２２における外壁は、図４に示すように、二つ割りのユニットケース２４により形成されている。
【００２４】
照射ユニット２２における底部には、ユニット検知部２０に照射ユニット２２の装着を検知させる検知用突起２５を有する。また、照射ユニット２２における底部には、図５のように、当該底部の略中央に、ユニット側コネクタ２７の露出した凹所２６が設けられている。照射ユニット２２の本体１への装着時には、図４及び図５に示したユニット側コネクタ２７と図２に示した本体側コネクタ２１とが、電気的に接続される。照射ユニット２２の開口の長手方向の両方の端面には、それぞれ爪１９と係脱自在の係合突起２８を備えている。係合突起２８は、それぞれ一方の爪１９のＵ字の間に挟まれることで係合し、照射ユニット２２を装着部１８に保持する。このように、照射ユニット２２は、ドライバーやスパナ等の工具を使用することなく本体１に押込むあるいは本体１から引っ張ることで容易に着脱できる。なお、照射ユニット２２の側面には装着部１８との係脱時に把持した指の滑りを防止する凹凸部２９を有している。凹凸部２９は、係合突起２８と爪１９との係脱時に照射ユニット２２を把持した指の滑り止めとなっている。
【００２５】
照射ユニット２２の開口は、光源３３からの光をユニット外部に放出する放出口である。レンズ３０は、照射ユニット２２の開口を覆う蓋として二つのユニットケース２４に挟持固定されている。レンズ３０は、レンズ面３１、枠部３２からなる。レンズ面３１は、開口を覆い光源３３の光を照射方向Ｆに向けて外部に放出する。枠部３２は、レンズ面３１の外端全周に延設されている。枠部３２の外面は、ユニットケース２４の内壁に固定保持されている。
【００２６】
つまり、レンズ面３１が、照射ユニット２２の開口と略同形状で開口を覆う蓋である。レンズ３０から放出される光である照射光は、開口に直交する照射方向Ｆのみに進むようレンズ面３１及び後述の反射板３７により補正されている。なお、レンズ３０は、凹レンズや凸レンズ等の調光レンズであることが好ましい。
【００２７】
この光照射型美容装置は、レンズ面３１から異なる波長の光を出射する。これらの異なる波長の光は、光照射型美容装置のフロートフレーム５４が皮膚に当接された状態で、皮膚の異なる位置に照射される。なお、波長の異なる光を異なる皮膚の部位に照射する構成については後述する。
【００２８】
照射ユニット２２の内部には、図４に示すように、キセノン管３４ａ、反射板３７、保持部３９、回路部３５が備えられている。キセノン管３４ａは、光源３３の一実施例である。このキセノン管３４ａは、例えば、３００ｎｍ〜１１００ｎｍといった範囲の波長を含む光を出射する。反射板３７は、光源３３の光を反射し、レンズ３０に導光する。反射板３７は、図５（ｂ）に示すように、底部に光源３３が配置される。光源３３が発光すると、反射板３７は、内壁によって光源３３から出射された光をレンズ３０側に反射する。なお、後述するように、反射板３７には、光源３３の光を分離する構成が備えられる。図２、図４、図５は、図面の簡単のため、当該光源３３の光を分離する構成を省略しているが、当該光源３３の光を分離する構成は後述するように備えられている。保持部３９は、光源３３及び反射板３７を保持する。回路部３５は、コネクタと光源３３を電気的に接続する。なお、回路部３５において、符号３６は光源３３にトリガー電圧を印加するトリガートランスであり、図４及び図５中では、光源３３と回路部３５を繋ぐ配線を省略している。
【００２９】
反射板３７は、レンズ面３１と略同じ寸法形状の開口を有したカップ状の金属板である。反射板３７における開口を形成する端部は、レンズ３０の内側の空間に配置されて枠部３２の内壁及びレンズ面３１の内面に当接する。カップの長手方向の両方の端面の底部側に、夫々互いに連通した貫通孔３８を有している。両貫通孔３８，３８には光源３３が連通する形態で反射板３７の内側に配置されている。そのため、光源３３の発した光が反射板３７の内面に反射して、レンズ面３１の全体に略均一に分布して導光される。
【００３０】
また、この光照射型美容装置は、反射板３７及び光源３３が単一のものに限らない。後述するように、光照射型美容装置から照射する波長に応じて反射板３７と光源３３との組を複数備えていてもよい。
【００３１】
光源３３及び反射板３７を保持する保持部３９は、二つのリング４５、基台４０、係合部４４ｂ、クッション４６とからなる。リング４５は、光源３３の両側から挟持するように、光源３３を反射板３７に固定する。基台４０は、反射板３７の底部及び外面に接して、当該反射板３７を支持する。係合部４４ｂは、レンズ３０に基台４０を固定する。クッション４６は、反射板３７の底部と基台４０の間に配置される。
【００３２】
リング４５は弾性体からなる。リング４５は、それぞれ内周に光源３３の貫通孔３８から反射板３７の外側に突出した端部が嵌め込まれる。二つのリング４５の対向する面が、夫々反射板３７の当該端面に当接される。そのため、該リング４５を介して光源３３が反射板３７に固定保持されており、光源３３の反射板３７に対する位置ずれが防止されている。
【００３３】
基台４０は、クッション４６が載置される載置面を有した底板４１と、底板４１から延設された複数の柱４２と、底板４１の載置面に対向する位置で各柱４２の先端を結ぶ矩形状の枠材４３とからなる。基台４０の載置面と柱４２と枠材４３で囲まれた空間には、反射板３７が配置される。基台４０の係合部４４ｂは、レンズ３０の枠部３２に設けた被係合部４４ａに係合する。これにより、基台４０によりクッション４６を介して弾性的に反射板３７がレンズ３０に押し付けられ、当該反射板３７は、ユニットケース２４に固定保持される。
【００３４】
つまり、基台４０は、反射板３７を覆うカップ形状である。基台４０は、カップ形状の端面及び側面に、光源３３の発した熱を外部に放出し冷却する放熱口４７を備えている。光源３３及び反射板３７は、保持部３９を介して弾性的にユニットケース２４に固定保持されている。これにより、照射ユニット２２の本体１に対する着脱時や本体１の取落し等の衝撃により、光源３３や反射板３７に位置ずれを生じることを防止して、安定した光照射を確保している。
【００３５】
カバー４８は、図１及び図６に示すように、光を透過しない遮光部材で形成された矩形の筒形状のフロートフレーム５４と、フロートフレーム５４をフロート自在で支持するカバー部材４９と、を有している。カバー部材４９は、中空で照射方向Ｆに頂を有した山形である。カバー部材４９は、頂及び麓の両方が開口した筒形状となっている。詳しくは、山の麓側の端部５０は、傾斜面１０の外周に沿った環状で開口している。該麓側の端部５０には、フック５１が延設されている。そのため、フック５１が傾斜面１０の係止部１５に係合すると、カバー４８が本体１に装着される。また、係止操作部８が外部操作されて係合が解かれると、カバー４８が本体１から離脱する。これにより、カバー４８は、照射ユニット２２と同様に、工具を使用することなく本体１から着脱可能である。
【００３６】
照射方向Ｆの先端側である山の頂側の端部５２は、麓側の開口より小さく且つフロートフレーム５４の外周を覆う矩形状に開口している。該頂側の開口は、フロートフレーム５４によって塞がれている。つまり、カバー部材４９は、傾斜面１０及び照射ユニット２２を覆うと共に、頂上にフロートフレーム５４を浮かせて配置したものとなっている。
【００３７】
フロートフレーム５４は、照射ユニット２２の外周より大きい形状の内部空間を有した筒である。フロートフレーム５４は、本体１にカバー４８を装着した際に、内部空間に照射ユニット２２が位置する。フロートフレーム５４のカバー部材４９の頂側に位置する端部は、皮膚に当接する当接部５５である。該端部の開口は、照射ユニット２２のレンズ３０と照射方向Ｆに一直線に並んでおり、照射ユニット２２からの照射光を皮膚に照射する照射口５６となっている。
【００３８】
照射口５６には、格子状の透光部材５７が配置されている。これにより、フロートフレーム５４に当接した皮膚が照射口５６からフロートフレーム５４の内部に入り込むことを抑える。なお、透光部材５７とは、レンズ３０から導光された光を透過可能な部材である。当該透光部材５７に透過される光は、反射板３７及びレンズ３０により調節された光量の分布及び光の進行方向が変化しない。つまり、透光部材５７は、照射光の分布を不均一化せず且つ照射方向Ｆにのみ透過する形状及び材質となっている。
【００３９】
このように、レンズ３０から放出された照射方向Ｆに進む光は、フロートフレーム５４の遮光部材に覆われた内部空間を通って照射口５６から皮膚へと照射される。この照射光は、進行方向を照射方向Ｆからずらされずに、照射口５６及び透光部材５７を介して皮膚の照射口５６に対向する部位に照射されている。したがって、後述する光照射型美容装置の構成によって、異なる波長の光がそれぞれ異なる皮膚の部位に照射可能となる。
【００４０】
上述したフロート自在とは、カバー４８に対してフロートフレーム５４が照射方向Ｆに沿ってスライド移動可能である。且つ、このフロート自在とは、フロートフレーム５４が照射方向Ｆの先端側である皮膚側に向けてばね等の弾性体６２により付勢されてカバー部材４９に支持された状態である。
【００４１】
詳しくは、フロートフレーム５４の筒の外面に、スライドガイド５９、ロック用突起６０、弾性体６２、支持突起６１を備えている。スライドガイド５９は、カバー部材４９に対してフロートフレーム５４をスライド移動させる。ロック用突起６０は、フロートフレーム５４のスライドをロックする。弾性体６２は、支持突起６１を照射方向Ｆに付勢する。支持突起６１は、弾性体６２による弾性付勢によってカバー部材４９からの抜け止めを行う。そのため、光照射時にフロートフレーム５４の当接部５５を皮膚に押し付けると、弾性体６２の付勢に抗してフロートフレーム５４が照射方向Ｆと逆向きにカバー部材４９の内側にスライドしながら沈み込む。なお、操作摘み５３をフロートフレーム５４のスライド方向である照射方向Ｆと直交する向きにスライド操作することで、ロック状態と非ロック状態が切り換わる。
【００４２】
このように、フロートフレーム５４を遮光部材で形成しカバー部材４９にフロート自在としている。これにより、光の照射時に皮膚とフロートフレーム５４が弾性的に接触して、皮膚にフロートフレーム５４を密着させることができる。
【００４３】
フロートフレーム５４のカバー部材４９の内側に位置する他方の開口を形成する端部には、押圧突起６３が照射方向Ｆと逆向きに突出して設けられている。押圧突起６３は、発光スイッチ１１の押圧片１３を照射方向Ｆと逆向きに押圧して、押圧片１３にスイッチ部１２を押させる。
【００４４】
つまり、皮膚当接時にフロートフレーム５４がカバー４８の内側に沈み込む。これにより、押圧突起６３が発光スイッチ１１の弾性体１４の付勢に抗して押圧片１３を本体１内部側に押込み、押圧片１３に押圧されたスイッチ部１２がオンとなり、電気信号を出力する。このとき、フロートフレーム５４が皮膚に当接されている間、押圧突起６３によるスイッチ部１２の押圧も継続される。このため、皮膚当接中は発光スイッチ１１が電気信号を出力し続ける。
【００４５】
つぎに、上述したように構成された光照射型美容装置において、光源３３から出射された光を異なる波長の光に分離し、異なる皮膚の部位に投光する構成について詳細に説明する。
【００４６】
上述した光照射型美容装置におけるキセノン管３４ａは、例えば、図７に示すように、４００ｎｍ〜１２００ｎｍといった広い波長範囲の光を出射可能である。この波長範囲のうち、光照射型美容装置は、キセノン管３４ａから出射された光を異なる波長範囲の光に分離し、当該分離したそれぞれの光を皮膚の異なる部位に照射する。具体的には、光照射型美容装置は、キセノン管３４ａから出射された光を、波長が５８０ｎｍよりも短い第１波長範囲の光（以下、短波長光と呼ぶ。）と、波長が５８０ｎｍよりも長い第２波長範囲の光（以下、長波長光と呼ぶ。）とに分離する。より具体的には、光照射型美容装置は、４００ｎｍ〜５８０ｎｍを第１波長範囲（短波長範囲）とし、５８０ｎｍ〜１２００ｎｍを第２波長範囲（長波長範囲）としてもよい。
【００４７】
この光照射型美容装置は、例えば、図８に示すように、波長分離部の光学部品としての短波長用ミラー７２ａ，７２ｂ（第１反射部）、長波長用ミラー７３（第２反射部）を有する。短波長用ミラー７２ａ，７２ｂ及び長波長用ミラー７３は、光源３３から出射された光及び反射板３７により反射された光の所定波長を選択的に分離する。短波長用ミラー７２ａ，７２ｂは、光源３３から出射した光のうち、短波長範囲の光を反射する。一方、長波長用ミラー７３は、光源３３から出射した光のうち、長波長範囲の光を反射する。
【００４８】
この光照射型美容装置は、光源３３から出射された光は、短波長用ミラー７２ａ及び長波長用ミラー７３に入射する。長波長範囲の光は、短波長用ミラー７２ａを透過し、レンズ３０のうちの長波長レンズ領域３０ｂから出射する。ここで、短波長用ミラー７２を透過した光のうちの一部は、ミラー７１に入射して、レンズ３０の長波長レンズ領域３０ｂに導かれる。これにより、光照射型美容装置は、長波長レンズ領域３０ｂに対応する皮膚の部位に長波長範囲の光を照射できる。
【００４９】
具体的には、図３に示すレンズ３０を区分した一方の領域を短波長レンズ領域３０ａとし、他方の領域を長波長レンズ領域３０ｂにする。この光照射型美容装置は、短波長レンズ領域３０ａから短波長範囲の光を出射でき、同時に、長波長レンズ領域３０ｂから長波長範囲の光を出射できる。これによって、光照射型美容装置を押し宛てた状態で、異なる皮膚の部位に、異なる波長の光を照射できる。
【００５０】
一方、光源３３から出射した光のうち、短波長側の短波長範囲の光は、長波長用ミラー７３を透過する。この短波長範囲の光は、短波長用ミラー７２ｂにより反射し、レンズ３０のうちの短波長レンズ領域３０ａから出射する。これにより、光照射型美容装置は、短波長レンズ領域３０ａに対応する皮膚の部位に短波長範囲の光を照射できる。
【００５１】
以上のように、この光照射型美容装置によれば、抑毛効果を発揮する長波長側の長波長範囲の光を皮膚に照射すると共に、当該長波長範囲の光とは異なる皮膚の部位に短波長範囲の光を照射できる。したがって、この光照射型美容装置によれば、抑毛効果を発揮するよう長波長範囲の光を皮膚に照射させたい場合であっても、短波長範囲の光を無駄にすることがない。
【００５２】
また、この光照射型美容装置によれば、短波長範囲の光を任意の部材によって吸収させる必要がない。したがって、この光照射型美容装置によれば、短波長範囲の光を吸収することによる発熱を抑制でき、照射速度（処理速度）を向上させることができる。
【００５３】
例えば図９に示すように、レンズ３０を、短波長範囲の光のうち４００ｎｍ以下の光を吸収するフィルタ１０１と５８０ｎｍ以下の光を吸収するフィルタ１０２とで構成した場合には、当該光の吸収によって発熱が発生する。光照射型美容装置は、このような光の吸収を利用せず光を分離するので発熱をすることなく、フロートフレーム５４付近を冷却する必要なく、光照射を行うことができる。
【００５４】
更に、この光照射型美容装置によれば、短波長範囲の光を長波長範囲の光とは異なる部位に照射するので、当該部位の皮膚に美肌効果を与えることができる。すなわち、短波長範囲の光を皮膚下の血管に吸収させることによって血流を促し、当該皮膚の美肌効果を期待できる。例えば、同じ皮膚の部位に高いエネルギーの光を照射すると、当該光によって副作用の発生の可能性がある。しかし、この光照射型美容装置は、分離した光を別々の皮膚の部位に照射することにより、複数の光源を用意しなくとも、異なる波長帯の効果が両方得られ、光源３３の光も効率良く利用できる。
【００５５】
光照射型美容装置の他の構成としては、図１０に示すように、反射板３７の開口部にレンズ３０を設け、当該レンズ３０と反射板３７とに囲まれた箇所に、短波長用ミラー７２及び長波長用ミラー７３を配置する。
【００５６】
短波長用ミラー７２と長波長用ミラー７３とは、それぞれ、レンズ３０において異なる部位から短波長範囲の光及び長波長範囲の光が出射されるよう配置されている。光源３３から出射した光のうち、長波長範囲の光は、長波長用ミラー７３により反射し、短波長用ミラー７２を透過する。これにより、長波長範囲の光は、レンズ３０における図中右側付近から出射する。一方、光源３３から出射した光のうち、短波長範囲の光は、短波長用ミラー７２により反射し、長波長用ミラー７３を透過する。これにより、短波長範囲の光は、レンズ３０における図中左側付近から出射する。
【００５７】
更に、光照射型美容装置は、図８，図１０に示したように単一の光源３３であっても良く、図１１乃至図１３に示すように、複数の光源３３を有していてもよい。すなわち、光照射型美容装置は、少なくとも一つの光源３３を有すればよい。
【００５８】
図１１に示す光照射型美容装置は、２つの光源３３ａ、３３ｂと、光源３３ａ、３３ｂごとの２つの反射板３７ａ、３７ｂとを有する。２つの反射板３７ａ、３７ｂの開口側には、レンズ３０が設けられている。レンズ３０上には、短波長用フィルタ８０ａ、長波長用フィルタ８０ｂが形成されている。短波長用フィルタ８０ａは、光源３３ａから出射された光のうち短波長範囲の光を吸収する。これにより、短波長用フィルタ８０ａは、長波長範囲の光を透過し、短波長レンズ領域３０ａから長波長範囲の光を照射する。長波長用フィルタ８０ｂは、光源３３ｂから出射された光のうち長波長範囲の光を吸収する。これにより、長波長用フィルタ８０ｂは、短波長範囲の光を透過し、長波長レンズ領域３０ｂから短波長範囲の光を照射する。
【００５９】
これにより、光照射型美容装置は、短波長用フィルタ８０ａと長波長用フィルタ８０ｂとによって光源３３の一つ分のエネルギーを吸収するものの、異なる皮膚の部位に異なる波長の光を照射できる。
【００６０】
図１２に示す光照射型美容装置は、単一の反射板３７内に２つの光源３３ａ、３３ｂを配設してもよい。この光照射型美容装置は、２つの光源３３ａ、３３ｂから出射された光を合成して、短波長用フィルタ８０ａ及び長波長用フィルタ８０ｂに入射させる。この光照射型美容装置は、短波長用フィルタ８０ａによって短波長範囲の光を吸収し、短波長レンズ領域３０ａから長波長範囲の光を出射する。一方、長波長用フィルタ８０ｂによって長波長範囲の光を吸収し、長波長レンズ領域３０ｂから短波長範囲の光を出射する。
【００６１】
これにより、光照射型美容装置は、短波長用フィルタ８０ａと長波長用フィルタ８０ｂとによって光源３３の一つ分のエネルギーを吸収するものの、異なる皮膚の部位に異なる波長の光を照射できる。
【００６２】
図１３に示す光照射型美容装置は、単一の反射板３７内に２つの光源３３ａ、３３ｂを配設し、更に、光源３３ａ、３３ｂとレンズ３０との間に、短波長用ミラー７２及び長波長用ミラー７３を配設している。短波長用ミラー７２は、長波長範囲の光を、短波長レンズ領域３０ａ側に導くよう配置される。長波長用ミラー７３は、短波長範囲の光を、長波長レンズ領域３０ｂ側に導くよう配置される。また、この光照射型美容装置は、レンズ３０を凸レンズにしている。
【００６３】
この光照射型美容装置は、短波長用ミラー７２によって、光源３３ａ、３３ｂの双方から出射された光のうち、短波長範囲の光を反射し、長波長範囲の光を透過する。一方、長波長用ミラー７３は、光源３３ａ、３３ｂの双方から出射された光のうち、長波長範囲の光を反射し、短波長範囲の光を透過する。短波長用ミラー７２を透過した長波長範囲の光は、レンズ３０のうち短波長レンズ領域３０ａを透過する。一方、長波長用ミラー７３を透過した短波長範囲の光は、レンズ３０のうち長波長レンズ領域３０ｂ透過する。レンズ３０は凸レンズであるので、短波長用ミラー７２を透過した光は、図中右方向に偏向して、皮膚に照射される。同様に、長波長用ミラー７３を透過した光は、図中左方向に偏向して、皮膚に照射される。
【００６４】
更に他の例としては、図１４に示すように、レンズ３０の光源３３側に短波長用ミラー７２と、長波長用ミラー７３を配置してもよい。この短波長用ミラー７２によって、光源３３から出射された光のうち、短波長範囲の光を反射し、長波長範囲の光を透過する。一方、長波長用ミラー７３は、光源３３から出射された光のうち、長波長範囲の光を反射し、短波長範囲の光を透過する。これにより、レンズ３０の異なる領域から波長が異なる光を出射できる。
【００６５】
このような光照射型美容装置は、２つの光源３３ａ、３３ｂにより出射した光を吸収することないので、光を無駄にすることなく、皮膚の異なる部位に異なる波長の光を照射できる。
【００６６】
更に、この光照射型美容装置は、レンズ３０を凸レンズとしたので、短波長範囲の光と長波長範囲の光とを異なる方向に照射でき、確実に短波長範囲の光と長波長範囲の光とを皮膚の異なる部位に照射できる。
【００６７】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００６８】
２２  照射ユニット（投光部）
３０  レンズ
３３  光源
３４ａ  キセノン管
３７  反射板
７２  短波長用ミラー（波長分離部、第１反射部）
７３  長波長用ミラー（波長分離部、第２反射部）
【図１】
2013126441.tif 000003
【図２】
2013126441.tif 000004
【図３】
2013126441.tif 000005
【図４】
2013126441.tif 000006
【図５】
2013126441.tif 000007
【図６】
2013126441.tif 000008
【図７】
2013126441.tif 000009
【図８】
2013126441.tif 000010
【図９】
2013126441.tif 000011
【図１０】
2013126441.tif 000012
【図１１】
2013126441.tif 000013
【図１２】
2013126441.tif 000014
【図１３】
2013126441.tif 000015
【図１４】
2013126441.tif 000016